(57)【特許請求の範囲】
【請求項１】
底部と底部の一方の相対する高い土手部にヒンジ連結された一方の相対する側壁と底部のもう一方の相対する低い土手部にヒンジ連結されたもう一方の相対する側壁とから構成されている折り畳みコンテナーにおいて、略逆Ｕ字の高い土手部の水平部に形成された長孔と、一対の連結孔と、連結孔に連通された、高い土手部の内側垂直部に形成された一対の垂直スリットと、一対の垂直スリット間に形成された舌片と、舌片の内面に形成された水平側壁持ち上がり防止用フックと、垂直スリットを挟んで、舌片に対して反対側に位置する高い土手部の内側垂直部の垂直スリット付近に位置する内面に形成された垂直側壁持ち上がり防止用フックとにより、底部に配設された雌ヒンジ部材が構成されているとともに、水平側壁持ち上がり防止用フックと垂直側壁持ち上がり防止用フックとが、共に、高い土手部の上端部に、互いに．並設するように構成されており、且つ、垂直スリットの深さが、支持片の幅の略２倍の深さを有するように形成されており、また、一方の相対する側壁の下端フランジに垂下された一対の支持片と、一対の支持片を架橋する水平側壁持ち上がり防止用ブロックと、一対の支持片の対向面と反対側に位置する外側面に形成された垂直側壁持ち上がり防止用ブロックとにより、一方の側壁に配設された雄ヒンジ部材が構成されているとともに、水平側壁持ち上がり防止用ブロックと垂直側壁持ち上がり防止用ブロックとが、共に、支持片の下端部に、互いに．並設するように構成されており、雌ヒンジ部材と雄ヒンジ部材とをヒンジ連結することにより、底部に、一方の側壁が連結されるように構成されていることを特徴とする折り畳みコンテナー。
【発明の詳細な説明】
【技術分野】
【０００１】
本発明は、底部と、底部の一方の相対する土手部にヒンジ連結された一方の相対する側壁と、底部のもう一方の相対する土手部にヒンジ連結されたもう一方の相対する側壁とから構成されている折り畳みコンテナーに関するものであり、箱型に組み立てられた状態から、一方の相対する側壁を底部に重なるように倒し、次いで、もう一方の相対する側壁を、先に倒された一方の相対する側壁に重なるように倒すことにより、折り畳むことができるように構成されている。
【背景技術】
【０００２】
側壁に形成された雄ヒンジ部材が、底部の土手部に形成された雌ヒンジ部材に対して、上下方向に自由に移動できないタイプ、換言すれば、雄ヒンジ部材と雌ヒンジ部材とによるヒンジ連結部が、上下方向に、実質的に移動できないタイプの折り畳みコンテナーにおいて、一方の相対する側壁を倒した際に、側壁の先端部が互いに重なるように構成されている場合には、先に倒された側壁の上に重ねられる側壁が、ヒンジ連結部を支点として、傾斜して倒されることになる。このように、側壁が、傾斜して倒されるように構成された折り畳みコンテナーにおいては、折り畳まれた状態における折り畳みコンテナーの高さが高くなり、従って、折り畳みコンテナーの収容効率が低下することになる。
【０００３】
上述した課題を解決するために、底部の土手部に形成された雌ヒンジ部の凹部の深さを深くして、底部の土手部に形成された雌ヒンジ部に対して、側壁に形成された雄ヒンジ部材が、雌ヒンジ部の凹部内を、上下方向に自由に移動できるようにしたタイプ、換言すれば、雄ヒンジ部材と雌ヒンジ部材とによるヒンジ連結部が、上下方向に、移動可能なタイプの折り畳みコンテナーが知られているが、このようなタイプの折り畳みコンテナーが箱型に組み立てられた際には、ヒンジ連結部が、上下方向に移動可能であるために、作業者が、側壁を持って、箱型に組み立てられた折り畳みコンテナーを持ち上げようとすると、側壁が、底部から持ち上がるという問題があった。
【０００４】
上述した課題を解決するために、本出願人は、本出願人の先の出願である特許文献１において、側壁に形成された雄ヒンジ部材に、側壁の回動支点となるヒンジブロックと箱型に組み立てられた状態における側壁の持ち上がりを阻止するための係合ブロックとを形成した折り畳みコンテナーを提案した。
【０００５】
【特許文献１】特開２００６−１８８２７２号公報
【発明の開示】
【発明が解決しようとする課題】
【０００６】
上述した折り畳みコンテナーにおいては、側壁に形成された雄ヒンジ部材を構成する支持片の下部にヒンジブロックが形成されており、また、支持片の上部に、持ち上がりを阻止するための係合ブロックが形成されているために、倒された状態の側壁を、垂直方向に立てる際に、係合ブロックが、底部の土手部に当接したり、或いは、土手部に乗り上げる等して、倒された状態の側壁を、迅速に、且つ、確実に、略垂直に立てることができないという問題があった。
【０００７】
また、雄ヒンジ部材を構成する支持片には、ヒンジブロックと係合ブロックとが形成されているために、側壁を成形するための金型が複雑になり、従って、金型のコストが上昇し、ひいては、折り畳みコンテナーの製造コストが上昇するという問題があった。
【０００８】
本発明の目的は、上述した従来の折り畳みコンテナーが有する課題を解決することにある。
【課題を解決するための手段】
【０００９】
本発明は、上述した目的を達成するために、底部と底部の一方の相対する高い土手部にヒンジ連結された一方の相対する側壁と底部のもう一方の相対する低い土手部にヒンジ連結されたもう一方の相対する側壁とから構成されている折り畳みコンテナーにおいて、略逆Ｕ字の高い土手部の水平部に形成された長孔と、一対の連結孔と、連結孔に連通された、高い土手部の内側垂直部に形成された一対の垂直スリットと、一対の垂直スリット間に形成された舌片と、舌片の内面に形成された水平側壁持ち上がり防止用フックと、垂直スリットを挟んで、舌片に対して反対側に位置する高い土手部の内側垂直部の垂直スリット付近に位置する内面に形成された垂直側壁持ち上がり防止用フックとにより、底部に配設された雌ヒンジ部材が構成されているとともに、水平側壁持ち上がり防止用フックと垂直側壁持ち上がり防止用フックとが、共に、高い土手部の上端部に、互いに．並設するように構成されており、且つ、垂直スリットの深さが、支持片の幅の略２倍の深さを有するように形成されており、また、一方の相対する側壁の下端フランジに垂下された一対の支持片と、一対の支持片を架橋する水平側壁持ち上がり防止用ブロックと、一対の支持片の対向面と反対側に位置する外側面に形成された垂直側壁持ち上がり防止用ブロックとにより、一方の側壁に配設された雄ヒンジ部材が構成されているとともに、水平側壁持ち上がり防止用ブロックと垂直側壁持ち上がり防止用ブロックとが、共に、支持片の下端部に、互いに．並設するように構成されており、雌ヒンジ部材と雄ヒンジ部材とをヒンジ連結することにより、底部に、一方の側壁が連結されるように構成したものである。
【発明の効果】
【００１０】
上述した従来の折り畳みコンテナーのように、倒された状態の側壁を、垂直方向に立てる際に、係合ブロックが、底部の土手部に当接したり、或いは、土手部に乗り上げるようなことがなく、従って、倒された状態の側壁を、迅速に、且つ、確実に、略垂直に立てることができる。
【００１１】
側壁に配設された雄ヒンジ部材には、上述した特許文献１に記載されているような係合ブロックが形成されていないので、支持片の下端フランジからの長さを短くすることができ、従って、雄ヒンジ部材が損傷するようなことを防止することができる。
【００１２】
更に、雄ヒンジ部材の支持片には、上述した特許文献１に記載されているような係合ブロックが形成されていないので、側壁を成形するための金型の製造コストを低減することができる。
【実施例】
【００１３】
以下に、本発明の実施例について説明するが、本発明の趣旨を越えない限り、何ら、本実施例に限定されるものではない。
【００１４】
先ず最初に、図１〜図４を用いて、本発明の折り畳みコンテナーの全体構成について説明する。
【００１５】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、高く形成されている。
【００１６】
長辺側土手部１ａは、底部１の板部１ｃの長辺に略垂直な内側垂直部１ａ１と、内側垂直部１ａ１の上端から外側に略水平に延在する水平部１ａ２と、水平部１ａ２の先端から、下方に略垂直に延在する外側垂直部１ａ３とから構成されており、長辺側土手部１ａの長手方向に対して垂直な断面が、略逆Ｕ字状に形成されている。同様に、短辺側土手部１ｂも、底部１の板部１ｃの短辺に略垂直な内側垂直部１ｂ１と、内側垂直部１ｂ１の上端から外側に略水平に延在する水平部１ｂ２と、水平部１ｂ２の先端から、下方に略垂直に延在する外側垂直部１ｂ３とから構成されており、短辺側土手部１ｂの長手方向に対して垂直な断面も、略逆Ｕ字状に形成されている。
【００１７】
底部１の長辺側土手部１ａには、後述する雌ヒンジ部材Ｈ１が配設されており、また、底部１の短辺側土手部１ｂにも、同様の雌ヒンジ部材Ｈ１が配設されている。本実施例には、長辺側土手部１ａには、４個の雌ヒンジ部材Ｈ１が配設され、また、短辺側土手部１ｂには、２個の雌ヒンジ部材Ｈ１が配設されている例が示されているが、このような個数に限定されるものではない。
【００１８】
２は、長側壁であり、長側壁２の下端フランジ２ａの裏面には、底部１の長辺側土手部１ａに配設された雌ヒンジ部材Ｈ１に対応して、後述する雄ヒンジ部材Ｈ２が配設されている。３は、短側壁であり、短側壁３の下端フランジ３ａの裏面にも、底部１の短側壁土手部１ｂに配設された雌ヒンジ部材Ｈ１に対応して、雄ヒンジ部材Ｈ２が配設されている。
【００１９】
長側壁２の下端フランジ２ａに配設された雄ヒンジ部材Ｈ２と底部１の長辺側土手部１ａに配設された雌ヒンジ部材Ｈ１とを連結することにより、長側壁２が、底部１にヒンジ連結され、また、短側壁３の下端フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されて、折り畳みコンテナーが構成されることになる。
【００２０】
図３に示されているように、折り畳まれた状態から、図１に示されているように、箱型に組み立てるには、先ず最初に、図２に示されているように、水平状態の長側壁２を、略垂直に立て、次いで、水平状態の短側壁３を、略垂直に立てることにより、折り畳みコンテナーが、箱型に組み立てられることになる。また、箱型に組み立てられた折り畳みコンテナーを、折り畳むには、先ず最初に、図２に示されているように、短側壁３を底部１に重なるように倒し、次いで、長側壁２を、先に倒された短側壁３に重なるように倒すことにより、折り畳みコンテナーが、折り畳まれることになる。
【００２１】
折り畳まれた状態においては、長側壁２の先端部が、互いに部分的に重なり合うように構成されており、同様に、短側壁３の先端部も、互いに部分的に重なり合うように構成されている。
【００２２】
次に、図５及び図６を用いて、底部１の長辺側土手部１ａ及び短辺側土手部１ｂに配設されている雌ヒンジ部材Ｈ１について説明する。以下においては、長辺側土手部１ａに配設されている雌ヒンジ部材Ｈ１について説明し、短辺側土手部１ｂに配設されている雌ヒンジ部材Ｈ１については、実質的に同じであるので、その詳細な説明は省略する。
【００２３】
長辺側土手部１ａの水平部１ａ２には、長辺側土手部１ａの長手方向に沿って、横長の長孔ｈ１が形成されている。また、長孔ｈ１の長手方向の両端部付近に位置する水平部１ａ２には、長孔ｈ１に連通されているとともに、内側垂直部１ａ１まで達する一対の連結孔ｈ２が形成されている。更に、内側垂直部１ａ１には、その上端部が、連結孔ｈ２に連通されているとともに、水平部１ａ２から底部１の板部１ｃ方向に延在する一対の縦長の垂直スリットｈ３が形成されている。
【００２４】
上述したように、内側垂直部１ａ１に所定の間隔を置いて、一対の垂直スリットｈ３を形成することにより、一対の垂直スリットｈ３間には、略方形状の舌片ｈ４が形成されることになる。舌片ｈ４の内面（外側垂直部１ａ３と対向する面）ｈ４ａの上端部には、ブロック状のフックｈ５が突設されており、このフックｈ５は、折り畳まれた状態の略水平な長側壁２の持ち上がりを防止するためのものであり、以下、このフックｈ５を、便宜的に、水平側壁持ち上がり防止用フックと称する。
【００２５】
また、垂直スリットｈ３を挟んで、舌片ｈ４に対して反対側に位置する内側垂直部１ａ１の垂直スリットｈ３付近に位置する内面（外側垂直部１ａ３と対向する面）１ａ１’の上端部には、ブロック状のフックｈ６が突設されている。このフックｈ６は、垂直状態に立てられた状態の長側壁２の持ち上がりを防止するためのものであり、以下、このフックｈ６を、便宜的に、垂直側壁持ち上がり防止用フックと称する。
【００２６】
上述したように、底部１の長辺側土手部１ａに配設されている雌ヒンジ部材Ｈ１を構成する水平側壁持ち上がり防止用フックｈ５と垂直側壁持ち上がり防止用フックｈ６とは、共に、長辺側土手部１ａの上端部に、互いに．並設するように形成されている。
【００２７】
長辺側土手部１ａの水平部１ａ２に形成された横長の長孔ｈ１と一対の連結孔ｈ２、内側垂直部１ａ１に形成された一対の縦長の垂直スリットｈ３、舌片ｈ４の内面ｈ４ａの上端部に形成された水平側壁持ち上がり防止用フックｈ５及び垂直スリットｈ３を挟んで、舌片ｈ４に対して反対側に位置する内側垂直部１ａ１の垂直スリットｈ３付近に位置する内面１ａ１’の上端部に形成された垂直側壁持ち上がり防止用フックｈ６とにより、雌ヒンジ部材Ｈ１が構成されている。
【００２８】
次に、図７及び図８を用いて、長側壁２に配設されている雄ヒンジ部材Ｈ２について説明する。以下においては、長側壁２に配設されている雄ヒンジ部材Ｈ２について説明し、短側壁３に配設されている雄ヒンジ部材Ｈ２については、実質的に同じであるので、その詳細な説明は省略する。
【００２９】
長側壁２の板状部２ｂに垂直な下端フランジ２ａの裏面には、雄ヒンジ部材Ｈ２が配設されており、雄ヒンジ部材Ｈ２は、下端フランジ２ａの裏面に、所定の間隔を置いて垂下された、縦長の略長方形状の板状の支持片ｈ１０を有している。一対の支持片ｈ１０の下端部は、略半円形状に形成されているとともに、支持片ｈ１０は、長側壁２の板状部２ｂに対して、垂直に垂下されている。
【００３０】
所定の間隔を置いて、下端フランジ２ａの裏面に垂下された一対の支持片ｈ１０の下端部には、折り畳まれた水平状態にある長側壁２が持ち上げられた際に、底部１の長辺側土手部１ａに配設された雌ヒンジ部材Ｈ１を構成する水平側壁持ち上がり防止用フックｈ５の庇部ｈ５ａに当接するようにように構成された、一対の支持片ｈ１０を架橋するブロックｈ１１が形成されている。以下、このブロックｈ１１を、水平側壁持ち上がり防止用ブロックと称する。
【００３１】
水平側壁持ち上がり防止用ブロックｈ１１の下端部は、支持片ｈ１０の半円形状の下端部と略面一に形成されている。水平側壁持ち上がり防止用ブロックｈ１１は、下端フランジ２ａと対向するとともに下端フランジ２ａに略平行な上面ｈ１１ａを有しており、また、長側壁２の板状部２ｂ側に位置する上面ｈ１１ａには、角柱状の当接ブロック部ｈ１１ｂが形成されている。折り畳まれた水平状態にある長側壁２が持ち上げられた際には、長側壁２の下端フランジ２ａの裏面に配設された雄ヒンジ部材Ｈ２を構成する水平側壁持ち上がり防止用ブロックｈ１１の当接ブロック部ｈ１１ｂが、底部１の長辺側土手部１ａに配設された雌ヒンジ部材Ｈ１を構成する水平側壁持ち上がり防止用フックｈ５の庇部ｈ５ａに当接するように構成されている。
【００３２】
また、長側壁２の下端フランジ２ａの裏面に垂下された支持片ｈ１０の対向面ｈ１０ａと反対側に位置する外側面ｈ１０ｂの下端部には、外側面ｈ１０ｂに対して垂直なブロックｈ１２が形成されている。長側壁２が、略垂直に立てられた際には、長側壁２の下端フランジ２ａと対向するとともに下端フランジ２ａに略平行なブロックｈ１２の上面ｈ１２ａと、該上面ｈ１２ａに対して略垂直で、且つ、長側壁２の板状部２ｂ側に位置する垂直面ｈ１２ｂとにより形成されるブロックｈ１２の角部ｈ１２ｃ付近が、底部１の長辺側土手部１ａに配設された雌ヒンジ部材Ｈ１を構成する垂直側壁持ち上がり防止用フックｈ６の庇部ｈ６ａに入り込み、垂直側壁持ち上がり防止用フックｈ６の庇部ｈ６ａに当接、或いは、接近して位置するように構成されている。以下、このブロックｈ１２を、垂直側壁持ち上がり防止用ブロックと称する。垂直側壁持ち上がり防止用ブロックｈ１２の上面ｈ１２ａと相対する下面ｈ１２ｄは、支持片ｈ１０の半円形状の下端部と略面一に形成されている。
【００３３】
上述したように、長側壁２に配設されている雄ヒンジ部材Ｈ２を構成する水平側壁持ち上がり防止用ブロックｈ１１と垂直側壁持ち上がり防止用ブロックｈ１２とは、共に、支持片ｈ１０の下端部に、互いに．並設するように形成されている。
【００３４】
長側壁２の下端フランジ２ａの裏面に垂下された支持片ｈ１０、水平側壁持ち上がり防止用ブロックｈ１１及び垂直側壁持ち上がり防止用ブロックｈ１２により、雄ヒンジ部材Ｈ２が構成されている。
【００３５】
箱型に組み立てられた折り畳みコンテナーを折り畳む際には、先ず最初に、相対する短側壁３のうち、一方の短側壁３を、底部１に重なるように倒し、次いで、もう一方の短側壁３を、先に倒された短側壁３の上に、その先端部同士が互いに重なるように、略水平に倒す。次いで、相対する長側壁２のうち、一方の長側壁２を、相対する短側壁３のうち、後から倒された略水平な短側壁３の上に、略水平に倒し、その後、相対する長側壁２のうち、もう一方の長側壁２を、先に倒された長側壁２の上に、その先端部同士が互いに重なるように、略水平に倒す。このようにして、図１に示されている箱型に組み立てられた折り畳みコンテナーが、図３に示されているように、折り畳まれることになる。
【００３６】
底部１の長辺側土手部１ａに配設された雌ヒンジ部材Ｈ１を構成する、長辺側土手部１ａの内側垂直部１ａ１に形成された垂直スリットｈ３の深さ（長辺側土手部１ａの水平部１ａ２から垂直スリットｈ３の下端ｈ３ａまでの距離）は、長側壁２に配設された雄ヒンジ部材Ｈ２を構成する支持片ｈ１０の幅（長側壁２の板状部２ｂに対して垂直方向の長さ）の略２倍の深さを有するように構成されており、従って、長側壁２が倒された水平状態においては、長側壁２に配設された雄ヒンジ部材Ｈ２の支持片ｈ１０は、底部１の長辺側土手部１ａに配設された雌ヒンジ部材Ｈ１の内側垂直部１ａ１に形成された垂直スリットｈ３に沿って、上下動するように構成されており、換言すれば、水平状態の長側壁２は、垂直スリットｈ３に沿って、上下動することができるように構成されている。また、相対する長側壁２のうち、先に倒された長側壁２に配設された雄ヒンジ部材Ｈ２の支持片ｈ１０は、底部１の長辺側土手部１ａに配設された雌ヒンジ部材Ｈ１の内側垂直部１ａ１に形成された垂直スリットｈ３の下半分に位置し、相対する長側壁２のうち、後から倒された長側壁２に配設された雄ヒンジ部材Ｈ２の支持片ｈ１０は、底部１の長辺側土手部１ａに配設された雌ヒンジ部材Ｈ１の内側垂直部１ａ１に形成された垂直スリットｈ３の上半分に位置することになる。
【００３７】
相対する略垂直に立てられた長側壁２のうち、最初に倒される一方の長側壁２を、相対する短側壁３のうち、後から倒された略水平な短側壁３の上に、略水平に倒した際には、図９の右側に示されているように、一方の長側壁２に配設された雄ヒンジ部材Ｈ２を構成する水平側壁持ち上がり防止用ブロックｈ１１が、底部１の長辺側土手部１ａに配設された雌ヒンジ部材Ｈ１を構成する水平側壁持ち上がり防止用フックｈ５の庇部ｈ５ａの下方に位置するように構成されている。また、先に倒された一方の長側壁２の上に、その先端部同士が互いに重なるように、もう一方の長側壁２を、略水平に倒した際には、図９の左側に示されているように、後から略水平に倒されたもう一方の長側壁２に配設された雄ヒンジ部材Ｈ２を構成する水平側壁持ち上がり防止用ブロックｈ１１の当接ブロック部ｈ１１ｂが、底部１の長辺側土手部１ａに配設された雌ヒンジ部材Ｈ１を構成する水平側壁持ち上がり防止用フックｈ５の庇部ｈ５ａに当接或いは接近して位置するように構成されている。従って、折り畳みコンテナーが、折り畳まれた状態において、一番上に位置する、もう一方の長側壁２が持ち上げられても、後から倒されたもう一方の長側壁２に配設された雄ヒンジ部材Ｈ２を構成する水平側壁持ち上がり防止用ブロックｈ１１の当接ブロック部ｈ１１ｂが、底部１の長辺側土手部１ａに配設された雌ヒンジ部材Ｈ１を構成する水平側壁持ち上がり防止用フックｈ５の庇部ｈ５ａに当接するので、もう一方の長側壁２のそれ以上の持ち上がりが阻止されることになる。
【００３８】
上述したと同様に、相対する長側壁２のうち、一方の長側壁２を、相対する短側壁３のうち、後から倒された略水平な短側壁３の上に、略水平に倒した際には、図１０の右側に示されているように、先に倒された一方の長側壁２に配設された雄ヒンジ部材Ｈ２を構成する垂直側壁持ち上がり防止用ブロックｈ１２が、底部１の長辺側土手部１ａに配設された雌ヒンジ部材Ｈ１を構成する垂直側壁持ち上がり防止用フックｈ６と長辺側土手部１ａの外側垂直部１ａ３との間の下方に位置するように構成されている。また、先に倒された一方の長側壁２の上に、その先端部同士が互いに重なるように、もう一方の長側壁２を、略水平に倒した際には、図１０の左側に示されているように、後から略水平に倒されたもう一方の長側壁２に配設された雄ヒンジ部材Ｈ２を構成する垂直側壁持ち上がり防止用ブロックｈ１２が、底部１の長辺側土手部１ａに配設された雌ヒンジ部材Ｈ１を構成する垂直側壁持ち上がり防止用フックｈ６と長辺側土手部１ａの外側垂直部１ａ３との間に位置するように構成されている。
【００３９】
長側壁２が、略垂直に立てられた際には、図１１に示されているように、長側壁２の下端フランジ２ａが、底部１を構成する長辺側土手部１ａの水平部１ａ２に載置されるとともに、長側壁２に配設された雄ヒンジ部材Ｈ２を構成する垂直側壁持ち上がり防止用ブロックｈ１２の角部ｈ１２ｃ付近が、底部１の長辺側土手部１ａに配設された雌ヒンジ部材Ｈ１を構成する垂直側壁持ち上がり防止用フックｈ６の庇部ｈ６ａに入り込み、垂直側壁持ち上がり防止用フックｈ６の庇部ｈ６ａに当接、或いは、接近して位置するように構成されている。従って、この状態から、長側壁２が持ち上げられても、長側壁２に配設された雄ヒンジ部材Ｈ２を構成する垂直側壁持ち上がり防止用ブロックｈ１２の上面ｈ１２ａが、底部１の長辺側土手部１ａに配設された雌ヒンジ部材Ｈ１を構成する垂直側壁持ち上がり防止用フックｈ６の庇部ｈ６ａに当接し、よって、略垂直に立てられた長側壁２の持ち上がりを防止することができる。
【００４０】
また、長側壁２が、略垂直に立てられた際には、図１２に示されているように、長側壁２の下端フランジ２ａが、底部１を構成する長辺側土手部１ａの水平部１ａ２に載置されるとともに、長側壁２に配設された雄ヒンジ部材Ｈ２を構成する水平側壁持ち上がり防止用ブロックｈ１１が、底部１の長辺側土手部１ａに配設された雌ヒンジ部材Ｈ１を構成する水平側壁持ち上がり防止用フックｈ５の庇部ｈ５ａの下方に位置することになるが、上述したように、長側壁２が、略垂直に立てられた際には、長側壁２に配設された雄ヒンジ部材Ｈ２を構成する垂直側壁持ち上がり防止用ブロックｈ１２の角部ｈ１２ｃ付近が、底部１の長辺側土手部１ａに配設された雌ヒンジ部材Ｈ１を構成する垂直側壁持ち上がり防止用フックｈ６の庇部ｈ６ａに入り込み、長側壁２に配設された雄ヒンジ部材Ｈ２を構成する垂直側壁持ち上がり防止用ブロックｈ１２の上面ｈ１２ａが、底部１の長辺側土手部１ａに配設された雌ヒンジ部材Ｈ１を構成する垂直側壁持ち上がり防止用フックｈ６の庇部ｈ６ａに当接、或いは、接近して位置するように構成されているので、略垂直に立てられた長側壁２が、底部１から持ち上げられるようなことはない。
【００４１】
上述したように、長辺側土手部１ａの水平部１ａ２に形成された長孔ｈ１と一対の連結孔ｈ２、内側垂直部１ａ１に形成された一対の垂直スリットｈ３、舌片ｈ４の内面ｈ４ａに形成された水平側壁持ち上がり防止用フックｈ５及び垂直スリットｈ３を挟んで、舌片ｈ４に対して反対側に位置する内側垂直部１ａ１の垂直スリットｈ３付近に位置する内面１ａ１’に形成された垂直側壁持ち上がり防止用フックｈ６により、底部１に配設された雌ヒンジ部材Ｈ１が構成されているとともに、水平側壁持ち上がり防止用フックｈ５と垂直側壁持ち上がり防止用フックｈ６とが、共に、長辺側土手部１ａの上端部に、互いに．並設するように構成されており、また、長側壁２の下端フランジ２ａに垂下された支持片ｈ１０、水平側壁持ち上がり防止用ブロックｈ１１及び垂直側壁持ち上がり防止用ブロックｈ１２により、長側壁２に配設された雄ヒンジ部材Ｈ２が構成されているとともに、水平側壁持ち上がり防止用ブロックｈ１１と垂直側壁持ち上がり防止用ブロックｈ１２とが、共に、支持片ｈ１０の下端部に、互いに．並設するように構成されているので、上述した特許文献１に記載されているような、支持片の下端部に、ヒンジブロックが形成され、また、ヒンジブロックの上方に、係合ブロックが形成されている雄ヒンジ部材のように、倒された状態の側壁を、垂直方向に立てる際に、係合ブロックが、底部の土手部に当接したり、或いは、土手部に乗り上げるようなことがなく、従って、倒された状態の長側壁２を、迅速に、且つ、確実に、略垂直に立てることができる。
【００４２】
また、長側壁２に配設されている雄ヒンジ部材Ｈ２を構成する水平側壁持ち上がり防止用ブロックｈ１１と垂直側壁持ち上がり防止用ブロックｈ１２とが、共に、支持片ｈ１０の下端部に、互いに．並設するように形成されているので、支持ブロックｈ１０の長側壁２の下端フランジ２ａからの長さを短くすることができ、従って、支持ブロックｈ１０、ひいては、雄ヒンジ部材Ｈ２が損傷するようなことを防止することができる。
【００４３】
更に、雄ヒンジ部材Ｈ２の支持ブロックｈ１０には、上述した特許文献１に記載されているような係合ブロックが形成されていないので、長側壁２を成形するための金型の製造コストを低減することができる。
【００４４】
ところで、折り畳まれた状態の折り畳みコンテナーを、箱型に組み立てる際に、略水平に倒された状態の長側壁２を、垂直方向に回動させることになるが、この回動作業の際に、水平状態の長側壁２の一方の側端部２’（図３を参照のこと）が持ち上げられていると、図１３に示されているように、長側壁２に配設された雄ヒンジ部材Ｈ２を構成する垂直側壁持ち上がり防止用ブロックｈ１２が、底部１の長辺側土手部１ａに形成された雌ヒンジ部材Ｈ１を構成する垂直側壁持ち上がり防止用フックｈ６と底部１の長辺側土手部１ａを構成する外側垂直部１ａ３との間に位置する場合がある。このような状態で、長側壁２を、垂直方向に回動させると、図１４に示されているように、垂直側壁持ち上がり防止用ブロックｈ１２の角部ｈ１２ｃが、垂直側壁持ち上がり防止用フックｈ６の垂直面ｈ６ｂに当接するとともに、雄ヒンジ部材Ｈ２を構成する支持片ｈ１０が、底部１の長辺側土手部１ａを構成する外側垂直部１ａ３に当接し、長側壁２の垂直方向への回動が阻止されることになる。
【００４５】
上述したような課題を解決するために、図１３に示されている、底部１の長辺側土手部１ａに配設されている雌ヒンジ部材Ｈ１の垂直側壁持ち上がり防止用フックｈ６の垂直面ｈ６ｂと垂直側壁持ち上がり防止用フックｈ６の庇部ｈ６ａとにより形成される略９０度の角部ｈ６ｃを削除して、図１０や図１１に示されているように、角部湾曲面ｈ６ｃ’を形成したものである。なお、角部湾曲面ｈ６ｃ’を傾斜面とすることもできる。
【００４６】
上述したように、底部１の長辺側土手部１ａに配設されている雌ヒンジ部材Ｈ１の垂直側壁持ち上がり防止用フックｈ６の垂直面ｈ６ｂと垂直側壁持ち上がり防止用フックｈ６の庇部ｈ６ａとにより形成される角部ｈ６ｃに、角部湾曲面ｈ６ｃ’が形成されているので、図１３に示されているように、水平状態の長側壁２の一方の側端部２’が持ち上げられても、垂直側壁持ち上がり防止用ブロック部ｈ１２の角部１２ｃが、垂直側壁持ち上がり防止用フックｈ６に形成された角部湾曲面ｈ６ｃ’の範囲内に位置していれば、この状態で、長側壁２を、垂直方向に回動することにより、垂直側壁持ち上がり防止用ブロック部ｈ１２の角部ｈ１２ｃが、垂直側壁持ち上がり防止用フックｈ６に形成された角部湾曲面ｈ６ｃ’に当接するとともに、雄ヒンジ部材Ｈ２を構成する垂直側壁持ち上がり防止用ブロック部ｈ１２及び／又は支持片ｈ１０の下端部が、底部１の長辺側土手部１ａを構成する外側垂直部１ａ３に当接していることによる反力により、垂直側壁持ち上がり防止用ブロック部ｈ１２が、垂直側壁持ち上がり防止用フックｈ６に形成された角部湾曲面ｈ６ｃ’に沿って、垂直側壁持ち上がり防止用フックｈ６の庇部ｈ６ａに、円滑に、入り込むことができるので、長側壁２の垂直方向への回動が阻止されるようなことを防止することができる。
【００４７】
次に、図１５を用いて、本発明の別の実施例について説明する。
【００４８】
上述した実施例においては、長側壁２の下端フランジ２ａの裏面に配設された雄ヒンジ部材Ｈ２を構成する一対の支持片ｈ１０を架橋する水平側壁持ち上がり防止用ブロックｈ１１が形成されているが、この実施例においては、水平側壁持ち上がり防止用ブロックｈ１１に代えて、支持片ｈ１０間には、上述した実施例における垂直側壁持ち上がり防止用ブロックｈ１２と同じ形状の垂直側壁持ち上がり防止用ブロックｈ１２’が架橋されている。また、上述した実施例においては、支持片ｈ１０外側面ｈ１０ｂに、垂直側壁持ち上がり防止用ブロックｈ１２が形成されているが、この実施例においては、水平側壁持ち上がり防止用ブロックｈ１１と同じ形状の水平側壁持ち上がり防止用ブロックｈ１１’が形成されている。
【００４９】
更に、上述した実施例においては、底部１の長辺側土手部１ａに配設された雌ヒンジ部材Ｈ１を構成する舌片ｈ４には、水平側壁持ち上がり防止用フックｈ５が形成されているが、この実施例においては、水平側壁持ち上がり防止用フックｈ５に代えて、上述した実施例における垂直側壁持ち上がり防止用フックｈ６と同じ形状の垂直側壁持ち上がり防止用フックｈ６’が形成されている。また、上述した実施例においては、垂直スリットｈ３を挟んで、舌片ｈ４に対して反対側に位置する内側垂直部１ａ１の垂直スリットｈ３付近に位置する内面には、垂直側壁持ち上がり防止用フックｈ６が形成されているが、この実施例においては、垂直側壁持ち上がり防止用フックｈ６に代えて、上述した実施例における水平側壁持ち上がり防止用フックｈ５と同じ形状の水平側壁持ち上がり防止用フックｈ５’が形成されている。
【００５０】
上述した構成以外は、上述した実施例と同じであり、また、その作用や効果も同じであるので、詳細な説明は省略する。
【図面の簡単な説明】
【００５１】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーを構成する底部の斜視図である。
【図５】図５は、本発明の折り畳みコンテナーを構成する底部に配設された雌ヒンジ部材の拡大斜視図である。
【図６】図６は、同じく、本発明の折り畳みコンテナーを構成する底部に配設された雌ヒンジ部材の拡大斜視図である。
【図７】図７は、本発明の折り畳みコンテナーを構成する長側壁に配設された雄ヒンジ部材の拡大斜視図である。
【図８】図８は、同じく、本発明の折り畳みコンテナーを構成する長側壁に配設された雄ヒンジ部材の拡大斜視図である。
【図９】図９は、本発明の折り畳みコンテナーが折り畳まれた状態の短側壁に沿った部分垂直断面図である。
【図１０】図１０は、同じく、本発明の折り畳みコンテナーが折り畳まれた状態の短側壁に沿った部分垂直断面図である。
【図１１】図１１は、本発明の折り畳みコンテナーが箱型に組み立てられた状態の底部の雌ヒンジ部材と長側壁の雄ヒンジ部材とによるヒンジ連結部の部分垂直断面図である。
【図１２】図１２は、同じく、本発明の折り畳みコンテナーが箱型に組み立てられた状態の底部の雌ヒンジ部材と長側壁の雄ヒンジ部材とによるヒンジ連結部の部分垂直断面図である。
【図１３】図１３は、本発明の別の折り畳みコンテナーが折り畳まれた状態の短側壁に沿った部分垂直断面図である。
【図１４】図１４は、図１３における長側壁の回動途中の本発明の別の折り畳みコンテナーが折り畳まれた状態の短側壁に沿った部分垂直断面図である。
【図１５】図１５は、別の雌ヒンジ部材が配設された底部と別の雄ヒンジ部材が配設された長側壁との部分分解斜視図である。
【符号の説明】
【００５２】
Ｈ１・・・・・・・・・・・・・・雌ヒンジ部材
Ｈ２・・・・・・・・・・・・・・雄ヒンジ部材
ｈ１・・・・・・・・・・・・・・長孔
ｈ２・・・・・・・・・・・・・・連結孔
ｈ３・・・・・・・・・・・・・・垂直スリット
ｈ４・・・・・・・・・・・・・・舌片
ｈ５・・・・・・・・・・・・・・水平側壁持ち上がり防止用フック
ｈ６・・・・・・・・・・・・・・垂直側壁持ち上がり防止用フック
ｈ１０・・・・・・・・・・・・・支持片
ｈ１１・・・・・・・・・・・・・水平側壁持ち上がり防止用ブロック
ｈ１２・・・・・・・・・・・・・垂直側壁持ち上がり防止用ブロック
１・・・・・・・・・・・・・・・底部
１ａ・・・・・・・・・・・・・・長辺側土手部
１ｂ・・・・・・・・・・・・・・短辺側土手部
２・・・・・・・・・・・・・・・長側壁
３・・・・・・・・・・・・・・・短側壁
【図１】
0005022858.tif 000002
【図２】
0005022858.tif 000003
【図３】
0005022858.tif 000004
【図４】
0005022858.tif 000005
【図５】
0005022858.tif 000006
【図６】
0005022858.tif 000007
【図７】
0005022858.tif 000008
【図８】
0005022858.tif 000009
【図９】
0005022858.tif 000010
【図１０】
0005022858.tif 000011
【図１１】
0005022858.tif 000012
【図１２】
0005022858.tif 000013
【図１３】
0005022858.tif 000014
【図１４】
0005022858.tif 000015
【図１５】
0005022858.tif 000016